(57)【要約】【課題】種子入り袋の保持用パネルに対する添着作業性及び定着安定性を向上させると共に種子が傷付くのを防止して包装できる植物の種子用包装体を提供する。【解決手段】材紙１１に折り線１２，１３を介して少なくとも表面パネル１４と、裏面パネル１５、及び保持用パネル１７とを形成し、材紙を折り畳んで包装用外袋４に収容する包装用台紙１を備える。保持用パネルの所定部に種子入り袋２のコーナー係入用のスリット２０…２３又は係合孔等で形成した係合部を設け、係合部に袋２のコーナーを係入して袋２をパネルに添装する。保持用パネルの所定部に適当な大きさの開口部２８を設け、保持用パネルと裏面パネルとの間に保護用クッション材３を挾入する。或いは、開口部２８に代えて保持用パネルに一対の折曲片を形成し、保護用クッション材を袋の外側面に装着して保護する。【選択図】        図１
2005132488.tif 000002
【特許請求の範囲】
【請求項１】
種子を収容して密封した四角形の種子入り袋を保持させて包装用外袋に収容して包装する植物の種子用包装体であって、
材紙を折り畳んで前記外袋に収容する大きさに形成される包装用台紙を備え、
前記台紙は、前記材紙に折り線を介して形成された少なくとも表面パネルと、裏面パネル、及び前記種子入り袋を添装して保持させる保持用パネルとを有し、
前記保持用パネルは、このパネルに添装される前記種子入り袋の四隅部に相当する箇所における少なくとも前記袋の一方の対角線上の部位に位置させて形成され、前記袋のコーナーを係入するコーナー係入用の係合部、及び前記袋の少なくとも中央部が当接する部位に位置させて形成した所望の大きさの開口部とを備え、
前記係合部に前記袋の対応するコーナーを係入して前記種子入り袋を保持用パネルに添装して保持させるように構成されしたことを特徴とする、
植物の種子用包装体。
【請求項２】
請求項１に記載の植物の種子用包装体において、
前記台紙の保持用パネルは、前記係合部に代え、前記開口部の周囲における上下及び左右に位置させて形成され、前記種子入り袋の四辺を係入する係合片を備え、
前記各係合片に前記袋の四辺をそれぞれ係入して前記種子入り袋を保持用パネルに添装して保持させるように構成したことを特徴とする、植物の種子用包装体。
【請求項３】
請求項１又は２に記載の植物の種子用包装体において、
前記保持用パネルと裏面パネルとの間に挟入されるシート状に形成された保護用クッション材をさらに備えていることを特徴とする、植物の種子用包装体。
【請求項４】
種子を収容して密封した四角形の種子入り袋を保持させて包装用外袋に収容して包装する植物の種子用包装体であって、
材紙を折り畳んで前記外袋に収容する大きさに形成される包装用台紙を備え、
前記台紙は、前記材紙に折り線を介して形成された少なくとも表面パネルと、裏面パネル、及び前記種子入り袋を添装して保持させる保持用パネルとを有し、
前記保持用パネルは、このパネルに添装される前記種子入り袋の四隅部に相当する箇所における少なくとも前記袋の一方の対角線上の部位に位置させて形成され、前記袋のコーナーを係入するコーナー係入用の係合部、及び前記袋の少なくとも中央部が当接する部位に位置させて、前記パネルに切込線及び折り線を施して形成され、前記折り線に沿って対称的に折り曲げ可能に相対して設けた一対の折曲片とを備え、
前記係合部に前記袋の対応するコーナーを係入して前記種子入り袋を保持用パネルに添装して保持させるように構成したことを特徴とする、
植物の種子用包装体。
【請求項５】
請求項４に記載の植物の種子用包装体において、
前記一対の折曲片は、前記保持用パネルに所望の距離を存して略平行に相対して形成した所望長さの切込線と、前記一方の切込線の両端部と他方の切込線の両端部との間に掛けて略平行に形成した折り線、及び前記一方の切込線の略中央部と他方の切込線の略中央部との間に掛けて形成した切込線とを施して構成され、前記両折曲片は前記両折り線に沿って折り曲げ可能に構成されていることを特徴とする、植物の種子用包装体。
【請求項６】
請求項５に記載の植物の種子用包装体において、
前記台紙の保持用パネルは、前記両折り線の内側の部位に位置させて前記一方の切込線と他方の切込線との間に掛けると共に前記折り線と所望の間隔を存して略平行に形成した折り線をさらに備えていることを特徴とする、植物の種子用包装体。
【請求項７】
請求項４ないし６のいずれかに記載の植物の種子用包装体において、
前記台紙の保持用パネルは、前記一対の折曲片の外側部に位置させて、前記パネルに切込線及び折り線を施して形成され、前記折り線に沿って前記折曲片の折り曲げ方向と直交する方向へ折り曲げ可能に相対向して形成した一対の折曲片をさらに備えていることを特徴とする、植物の種子用包装体。
【請求項８】
請求項４ないし７のいずれかに記載の植物の種子用包装体において、
前記種子入り袋の外側両面を挟ませ得る長さの帯状に形成した保護用クッション材をさらに備え、前記クッション材を前記袋の外側両面を挟ませて装着し、前記袋を前記保持用パネルに添装して保持させるように構成したことを特徴とする、植物の種子用包装体。
【請求項９】
種子を収容して密封した四角形の種子入り袋を保持させて包装用外袋に収容して包装する植物の種子用包装体であって、
材紙を折り畳んで前記外袋に収容する大きさに形成される包装用台紙を備え、
前記台紙は、前記材紙に折り線を介して形成された表面パネルと、前記種子入り袋を添装して保持させる保持用パネル、及び裏面パネルとを有していると共に、前記裏面パネルを所定の方向へ折り畳んだ状態で裏面パネルの端部を前記保持用パネルの所定部に係脱自在に係合して係止させる係止手段を有し、
前記保持用パネルは、このパネルに添装される前記種子入り袋の四隅部に相当する箇所における少なくとも前記袋の一方の対角線上の部位に位置させて形成され、前記袋のコーナーを係入するコーナー係入用の係合部、及び前記袋の少なくとも中央部が当接する部位に位置させて、前記パネルに切込線及び折り線を施して形成され、前記折り線に沿って対称的に折り曲げ可能に相対して設けた一対の折曲片とを備え、
前記裏面パネルは、少なくとも前記保持用パネルの前記係合部を被覆可能な大きさに形成され、
前記係合部に前記袋の対応するコーナーを係入して前記種子入り袋を保持用パネルに添装して保持させるように構成したことを特徴とする、
植物の種子用包装体。
【請求項１０】
請求項９に記載の植物の種子用包装体において、
前記一対の折曲片は、前記保持用パネルに所望の距離を存して略平行に相対して形成した所望長さの切込線と、前記一方の切込線の両端部と他方の切込線の両端部との間に掛けて略平行に形成した折り線、及び前記一方の切込線の略中央部と他方の切込線の略中央部との間に掛けて形成した切込線とを施して構成され、前記両折曲片は前記両折り線に沿って折り曲げ可能に構成されていることを特徴とする、植物の種子用包装体。
【請求項１１】
請求項１０に記載の植物の種子用包装体において、
前記台紙の保持用パネルは、前記両折り線の内側の部位に位置させて前記一方の切込線と他方の切込線との間に掛けると共に前記折り線と所望の間隔を存して略平行に形成した折り線をさらに備えていることを特徴とする、植物の種子用包装体。
【請求項１２】
請求項９ないし１１のいずれかに記載の植物の種子用包装体において、
前記台紙の保持用パネルは、前記一対の折曲片の外側部に位置させて、前記パネルに切込線及び折り線を施して形成され、前記折り線に沿って前記折曲片の折り曲げ方向と直交する方向へ折り曲げ可能に相対向して形成した一対の折曲片をさらに備えていることを特徴とする、植物の種子用包装体。
【請求項１３】
請求項９ないし１２のいずれかに記載の植物の種子用包装体において、
前記種子入り袋の外側両面を挟ませ得る長さの帯状に形成した保護用クッション材をさらに備え、前記クッション材を前記袋の外側両面を挟ませて装着し、前記袋を前記保持用パネルに添装して保持させるように構成したことを特徴とする、植物の種子用包装体。
【請求項１４】
請求項９ないし１３のいずれかに記載の植物の種子用包装体において、
前記係止手段は前記裏面パネルに代え、前記表面パネルを所定の方向へ折り畳んだ状態で表面パネルの端部を前記保持用パネルの所定部に係脱自在に係合して係止させるように構成されていると共の前記表面パネルは、少なくとも前記保持用パネルの前記係合部を被覆可能な大きさに形成されていることを特徴とする、植物の種子用包装体。
【発明の詳細な説明】
【技術分野】
【０００１】
本発明は、花、野菜その他の各種の植物の種子を包装する植物の種子用包装体に関するものである。
【背景技術】
【０００２】
従来、植物の種子を包装する方法として複数のタイプがある。その一例として、種子を四角形の袋（一般に中袋と称している）に入れて密封し、これを包装用外袋に収容して包装する方法がある。
【０００３】
従来は種子の包装として例えば図４３ないし図４５に示す方法を一般に採用している。以下、この従来例について図４３ないし図４５を参照して説明する。従来例は材紙１００を折り畳んで包装用外袋１１０に収容する大きさに形成される包装用台紙１０１を備え、台紙１０１は図４４に詳細に示すように、材紙１００に折り線１０２、１０３を介して略同一大に形成された表面パネル１０４、裏面パネル１０５、内側パネル１０６、及び保持用パネル１０７を有している。前記各パネル１０４…１０７には所望の事項や説明等が印刷１０８により表示されている。
【０００４】
植物の種子１１１はプラスチックフィルム材等で形成した四角形の袋１１２内に収容され、袋１１２の両側縁及び前縁をヒートシール１１３、１１４して封入されている。前記外袋１１０は透明プラスチックフィルム材等で形成され、出入口１１５に蓋片１１６が延設して形成されている。
【０００５】
そして、従来は図４５に示すように材紙を折り線１０３に沿って二つ折りし、種子１１１を収容して密封した種子入りの袋１１２を図４３（ａ）に示すように保持用パネル１０７に当接し、粘着テープ等１１７により袋１１２の一辺をパネル１０７に止着して保持させ、次いで、図４３（ｂ）に示すように台紙１０１を二つ折りし、これを外袋１１０に収容して蓋片１１６を閉じ、粘着テープ等（図示せず）で蓋片を止着して包装している。
【０００６】
しかしながら、従来例には次のような問題を有している。即ち、種子入り袋１１２はパネル１０７に対して傾くことなく真直に整然と添着することが好ましいが、袋１１２をパネル１０７にテープ等１１７で止める作業は手作業で行なうものであるため、真直に添着させるために手間が掛り、袋１１２を傾いた姿勢でパネル１０７に添着することが数多く生じる。また、従来は袋の一辺をテープ等１１７でパネルに止めるものであるため、定着安定性の面においても問題を有している。
【０００７】
また、植物の種子は、その種類等により傷が付き易いものがある。このような種子を従来例により包装すると種子を傷付ける問題が生じる。しかるに、種子を傷付けることなく保護した状態で包装する包装技術は未だ提案されてなく、当業界ではその技術の開発が求望されている。
【発明の開示】
【発明が解決しようとする課題】
【０００８】
本発明は上記のような実情に鑑み、種子を収容して密封した種子入り袋の保持用パネルに対する添着作業を簡素化し、種子入り袋をパネルに対して傾くことなく整然かつ定着安定性を向上させて添装保持させ得る植物の種子用包装体を提供することを目的とする。また、本発明の他の１つの目的は種子が傷付くことを防止して包装できる植物の種子用包装体を提供することにある。
【課題を解決するための手段】
【０００９】
上記目的を達成するため、本発明のうち１つの発明（第１の発明）は、種子を収容して密封した四角形の種子入り袋を保持させて包装用外袋に収容して包装する植物の種子用包装体であって、材紙を折り畳んで前記外袋に収容する大きさに形成される包装用台紙を備え、前記台紙は、前記材紙に折り線を介して形成された少なくとも表面パネルと、裏面パネル、及び前記種子入り袋を添装して保持させる保持用パネルとを有し、前記保持用パネルは、このパネルに添装される前記種子入り袋の四隅部に相当する箇所における少なくとも前記袋の一方の対角線上の部位に位置させて形成され、前記袋のコーナーを係入するコーナー係入用の係合部、及び前記袋の少なくとも中央部が当接する部位に位置させて形成した所望の大きさの開口部とを備え、前記係合部に前記袋の対応するコーナーを係入して前記種子入り袋を保持用パネルに添装して保持させるように構成されしたことを特徴とする。
【００１０】
本発明において、前記コーナー係入用の係合部の構成については特に限定されないが、例えばスリットや係合孔等で構成することができる。前記係合部の構成に関しては後述する各発明においても同様である。なお、この明細書において、「表面パネル」とは、包装用台紙を形成する材紙を折り畳んだ際に前記台紙の表面側に位置させるパネルを意味する用語として使用されている。
【００１１】
本発明の他の１つの発明（第２の発明）は、第１の発明の植物の種子用包装体において、前記台紙の保持用パネルは、前記係合部に代え、前記開口部の周囲における上下及び左右に位置させて形成され、前記種子入り袋の四辺を係入する係合片を備え、
前記各係合片に前記袋の四辺をそれぞれ係入して前記種子入り袋を保持用パネルに添装して保持させるように構成したことを特徴とする。
【００１２】
本発明の他の１つの発明（第３の発明）は、第１又は第２の発明の植物の種子用包装体において、前記保持用パネルと裏面パネルとの間に挟入されるシート状に形成された保護用クッション材をさらに備えていることを特徴とする。
【００１３】
本発明の他の１つの発明（第４の発明）は、種子を収容して密封した四角形の種子入り袋を保持させて包装用外袋に収容して包装する植物の種子用包装体であって、
材紙を折り畳んで前記外袋に収容する大きさに形成される包装用台紙を備え、
前記台紙は、前記材紙に折り線を介して形成された少なくとも表面パネルと、裏面パネル、及び前記種子入り袋を添装して保持させる保持用パネルとを有し、
前記保持用パネルは、このパネルに添装される前記種子入り袋の四隅部に相当する箇所における少なくとも前記袋の一方の対角線上の部位に位置させて形成され、前記袋のコーナーを係入するコーナー係入用の係合部、及び前記袋の少なくとも中央部が当接する部位に位置させて、前記パネルに切込線及び折り線を施して形成され、前記折り線に沿って対称的に折り曲げ可能に相対して設けた一対の折曲片とを備え、
前記係合部に前記袋の対応するコーナーを係入して前記種子入り袋を保持用パネルに添装して保持させるように構成したことを特徴とする。
【００１４】
本発明の他の１つの発明（第５の発明）は、第４の発明の植物の種子用包装体において、前記一対の折曲片は、前記保持用パネルに所望の距離を存して略平行に相対して形成した所望長さの切込線と、前記一方の切込線の両端部と他方の切込線の両端部との間に掛けて略平行に形成した折り線、及び前記一方の切込線の略中央部と他方の切込線の略中央部との間に掛けて形成した切込線とを施して構成され、前記両折曲片は前記両折り線に沿って折り曲げ可能に構成されていることを特徴とする。
【００１５】
本発明の他の１つの発明（第６の発明）は、第５の発明の植物の種子用包装体において、前記台紙の保持用パネルは、前記両折り線の内側の部位に位置させて前記一方の切込線と他方の切込線との間に掛けると共に前記折り線と所望の間隔を存して略平行に形成した折り線をさらに備えていることを特徴とする。
【００１６】
本発明の他の１つの発明（第７の発明）は、第４ないし第６のいずれかの発明の植物の種子用包装体において、前記台紙の保持用パネルは、前記一対の折曲片の外側部に位置させて、前記パネルに切込線及び折り線を施して形成され、前記折り線に沿って前記折曲片の折り曲げ方向と直交する方向へ折り曲げ可能に相対向して形成した一対の折曲片をさらに備えていることを特徴とする。
【００１７】
本発明の他の１つの発明（第８の発明）は、第４ないし第７のいずれかの発明の植物の種子用包装体において、前記種子入り袋の外側両面を挟ませ得る長さの帯状に形成した保護用クッション材をさらに備え、前記クッション材を前記袋の外側両面を挟ませて装着し、前記袋を前記保持用パネルに添装して保持させるように構成したことを特徴とする。
【００１８】
本発明の他の１つの発明（第９の発明）は、種子を収容して密封した四角形の種子入り袋を保持させて包装用外袋に収容して包装する植物の種子用包装体であって、材紙を折り畳んで前記外袋に収容する大きさに形成される包装用台紙を備え、前記台紙は、前記材紙に折り線を介して形成された表面パネルと、前記種子入り袋を添装して保持させる保持用パネル、及び裏面パネルとを有していると共に、前記裏面パネルを所定の方向へ折り畳んだ状態で裏面パネルの端部を前記保持用パネルの所定部に係脱自在に係合して係止させる係止手段を有し、
前記保持用パネルは、このパネルに添装される前記種子入り袋の四隅部に相当する箇所における少なくとも前記袋の一方の対角線上の部位に位置させて形成され、前記袋のコーナーを係入するコーナー係入用の係合部、及び前記袋の少なくとも中央部が当接する部位に位置させて、前記パネルに切込線及び折り線を施して形成され、前記折り線に沿って対称的に折り曲げ可能に相対して設けた一対の折曲片とを備え、
前記裏面パネルは、少なくとも前記保持用パネルの前記係合部を被覆可能な大きさに形成され、前記係合部に前記袋の対応するコーナーを係入して前記種子入り袋を保持用パネルに添装して保持させるように構成したことを特徴とする。
【００１９】
本発明の他の１つの発明（第１０の発明）は、第９の発明の植物の種子用包装体において、前記一対の折曲片は、前記保持用パネルに所望の距離を存して略平行に相対して形成した所望長さの切込線と、前記一方の切込線の両端部と他方の切込線の両端部との間に掛けて略平行に形成した折り線、及び前記一方の切込線の略中央部と他方の切込線の略中央部との間に掛けて形成した切込線とを施して構成され、前記両折曲片は前記両折り線に沿って折り曲げ可能に構成されていることを特徴とする。
【００２０】
本発明の他の１つの発明（第１１の発明）は、第１０の発明の植物の種子用包装体において、前記台紙の保持用パネルは、前記両折り線の内側の部位に位置させて前記一方の切込線と他方の切込線との間に掛けると共に前記折り線と所望の間隔を存して略平行に形成した折り線をさらに備えていることを特徴とする。
【００２１】
本発明の他の１つの発明（第１２の発明）は、第９ないし第１１のいずれかの発明の植物の種子用包装体において、前記台紙の保持用パネルは、前記一対の折曲片の外側部に位置させて、前記パネルに切込線及び折り線を施して形成され、前記折り線に沿って前記折曲片の折り曲げ方向と直交する方向へ折り曲げ可能に相対向して形成した一対の折曲片をさらに備えていることを特徴とする。
【００２２】
本発明の他の１つの発明（第１３の発明）は、第９ないし第１２のいずれかの発明の植物の種子用包装体において、前記種子入り袋の外側両面を挟ませ得る長さの帯状に形成した保護用クッション材をさらに備え、前記クッション材を前記袋の外側両面を挟ませて装着し、前記袋を前記保持用パネルに添装して保持させるように構成したことを特徴とする。
【００２３】
本発明の他の１つの発明（第１４の発明）は、第９ないし第１３のいずれかの発明の植物の種子用包装体において、前記係止手段は前記裏面パネルに代え、前記表面パネルを所定の方向へ折り畳んだ状態で表面パネルの端部を前記保持用パネルの所定部に係脱自在に係合して係止ささせるように構成されていると共に前記表面パネルは少なくとも前記保持用パネルの前記係合部を被覆可能な大きさに形成されていることを特徴とする。
【発明の効果】
【００２４】
本発明によれば種子入り袋の所定のコーナーを係合部に係入（第２の発明においては種子入り袋の四辺を係合片に係入する）ことにより、袋は保持用パネルに傾くことなく安定して整然と定着して保持される。したがって、保持用パネルに対する袋の装着作業を簡単に行なえると共に袋の定着安定性を向上させることができる。また、第３、第８、及び第１３の発明によれば、上記効果に加え、袋内の種子はクッション材により保護されて包装されるので、取扱中等に種子が傷付くのを防止することができる。
【発明を実施するための最良の形態】
【００２５】
以下図面を参照して本発明を実施するための最良の形態の一例を説明する。図１ないし図６は本発明の植物の種子用包装体の最良の一実施形態（第１の実施形態）を示すもので、図１は概要を示す説明図、図２は包装用台紙の展開平面図、図３は種子入り袋を添装して保持させた状態を示す説明図、図４は図３のＡ−Ａ線で切断し、作用を説明するために示す拡大断面図、図５は台紙を折り畳んだ状態を示す斜視図、図６は包装用外袋の一例を示す斜視図である。
【００２６】
上記図１ないし図６において、この第１の実施形態の植物の種子用包装体は、種子入り袋２を保持させて包装する包装用台紙１と、保護用クッション材３とを備えている。
【００２７】
前記台紙１は材紙１１を折り畳んで包装用外袋４（図６参照）に収容する大きさに形成されている。材紙１１の素材は特に限定するものではないが、一般的には、例えば、洋紙や和紙、或いは合成紙等が採用される。
【００２８】
第１の実施形態の前記台紙１は、図２に詳細に示すように、材紙１１に折り線１２，１３を介して略同一大に形成された表面パネル１４と、裏面パネル１５と、内側パネル１６、及び種子入り袋２を添装して保持させる保持用パネル１７とを有している。前記台紙１は内側パネル１６及び保持用パネル１７を表面および裏面パネル１４、１５間に位置させるように、材紙１１を両折り線１２，１３に沿って折り畳んで形成される。
【００２９】
前記各パネルには、従来と同様に所望の事項や説明文、或いは絵柄等が印刷により表示されている。前記各パネルに印刷される事項等は任意に決定する。例えば、図示の実施形態では、表面パネル１４には植物の名前１８ａや絵柄１８ｂ等を、内側パネル１６には絵柄１８ｃや説明文１８ｄ等を、保持用パネル１７には種子の形状の図柄１８ｅや発芽した苗の図柄１８ｆ等を印刷した例が開示されている。また、任意のパネルの裏面側等には種子の特性や栽培方法その他の説明文等が印刷されている。なお、上述したように、前記印刷される事項等は任意に変更できるものである。
【００３０】
種子入り袋２は従来と同様に適当な大きさの四角形の袋２Ａ内に植物の種子５を収容し、密封してなっている。前記袋２Ａはプラスチックフィルムその他の素材で構成され、袋２Ａ内に種子５を収容すると共に袋２Ａの両側縁及び前縁をヒートシール１９ａ，１９ｂ，１９ｃして封入されている。前記袋２Ａは従来と同様に任意の手段で防湿性を付与させてある。
【００３１】
前記保持用パネル１７は、所定の部位に位置させて形成し、前記袋２Ａのコーナーを係入する係合部を備える。第１の実施形態の係合部はスリットで構成されている。即ち、前記パネル１７には、前記袋２Ａの四隅に相当する箇所に位置させて形成したコーナー係入用のスリット２０，２１，２２，２３が設けてあり、各スリット２０…２３に前記袋２Ａの各コーナー２４，２５，２６，２７をそれぞれ係入して種子入り袋２を保持用パネル１７に添装して保持させるように構成してある。この構成により、袋２の各コーナー２４…２７を各スリット２０…２３に係入すると、袋２は保持用パネル１７に傾くことなく安定して整然と定着して保持される。
【００３２】
また、保持用パネル１７には、前記袋２の略中央部が当接する部位に位置させて形成された適当な大きさの開口部２８が設けてある。第１の実施形態では、前記各スリット２０…２３に囲まれたエリアの中央部に位置させて前記開口部２８を設けた例が開示されている。前記開口部２８は保持用パネル１７に添装される種子入り袋２をクッション材３に当接させるために設けたもので、開口部２８の大きさは適当に設定できる。この実施形態では開口部２８を丸孔で形成したものを開示したが角孔等で形成することもできる。
【００３３】
前記保護用クッション材３は保持用パネル１７に添装される袋２Ａ内の種子５を保護するためのもので、この実施形態のクッション材３は前記パネル１７と略同一大のシート状に形成されている。前記クッション材３は、例えば、柔軟性を有する発泡性樹脂で構成したもの、或いは図７、図８に示すように肉薄の二枚のプラスチックフィルム６ａ，６ｂを、両フィルム６ａ，６ｂ間に適当な大きさの多数の空気室６ｃを形成して重合固着して構成したもの、その他梱包用等の保護材として一般に市販されているものを任意に選択して採用することができる。
【００３４】
前記包装用外袋４は前記台紙１を折り畳んで収容し、包装するもので、従来と同様に透明プラスチックフィルム材等で所定の大きさに形成され、図６に示すように袋４の出入口４ａに蓋片４ｂが延設して形成されている。
【００３５】
第１の実施形態の種子用包装体は上記のように構成したもので、次に使用方法の一例及び作用効果等について説明する。材紙１１を折り線１２に沿って二つ折りし、図１（ａ）及び図３に示すように、種子入り袋２の各コーナー２４…２７を保持用パネル１７の各スリット２０…２３に差し込む。これにより、袋２は傾くことなくパネル１７に安定して整然と定着して保持される。次いで図１（ａ）及び図４に示すように、クッション材３を保持用パネル１７と裏面パネル１５との間に挟入した後、図５に示すように台紙１を二つ折りし、これを外袋４に収容して蓋片４ｂを折り返して閉じ、粘着テープ等（図示せず）で蓋片４ｂを止着して包装する。これにより、袋２Ａ内の種子５はクッション材３の作用により保護されて包装されるので、取扱中等に種子が傷付くのを防止して包装することができる。
【００３６】
なお、第１の実施形態においては、前記パネルの四箇所に前記スリット２０…２３を設けた例を開示したが、前記スリットの数は変更することができる。即ち、前記スリットは前記パネル１７に添装される種子入り袋２の四隅部に相当する箇所における少なくとも前記袋２の一方の対角線上の部位に位置させて設ければよいものである。
具体的には、例えば前記スリット２０及び２２の二個だけ設け、または前記スリット２１及び２３の二個だけ設け、或いは前記スリット２０，２２及び２１（又は２３）、又は前記スリット２１，２３及び２０（又は２２）等のように、任意に変更した構成を採用することができる。上記したスリットの位置構成の変形例については後述する各実施形態においても同様である。
【００３７】
また、第１の実施形態においては保護用クッション材を備えた例を開示したが、クッション材３を省略して使用することも可能である。この点については後述する各実施形態においても同様である。
【００３８】
図９は本発明の植物の種子用包装体の他の最良の実施形態（第２の実施形態）を示す説明図、図１０は第２の実施形態に採用された保護用クッション材を示す斜視図である。この植物の種子用包装体において、第１の実施形態で既に説明した構成と共通する部材等には同一符号を付し、説明を省略する。第２の実施形態は保護用クッションの構成に特徴がある。
【００３９】
即ち、第２の実施形態の保護用クッション材３Aは第１の実施形態の前記クッション材３の略半分強程度の大きさに形成したものを採用している。そして、前記クッション材３Ａを種子入り袋２を添装した部位に位置させて保持用パネル１７と裏面パネル１５との間に挾入して使用するように構成してある。他の構成は第１の実施形態と同様である。
【００４０】
第２の実施形態の植物の種子用包装体は上記のように構成し、第１の実施形態と同様に使用する。これにより第１の実施形態と同様の作用効果を奏する。
【００４１】
図１１は本発明の植物の種子用包装体のさらに他の最良の実施形態（第３の実施形態）を示す説明図である。この植物の種子用包装体において、第１の実施形態で既に説明した構成と共通する部材等には同一符号を付し、説明を省略する。第３の実施形態は種子入り袋２の保持用パネル１７に対する装着手段の構成に特徴がある。
【００４２】
即ち、第３の実施形態は第１の実施形態の前記台紙１の保持用パネル１７に設けたスリット２０…２３に代え、前記パネル１７の開口部２８の周囲における上下及び左右に位置させて、種子入り袋２の四辺、即ち、袋２Ａの両側縁部３１，３２及び前縁部３３と後縁部３４を係入する係合片３５，３６，３７，３８を設けてある。そして、袋２Ａの四辺（各縁部３１…３４）を各係合片３５…３８にそれぞれ係入して種子入り袋２を保持用パネル１７に添装して係着保持させるように構成したものである。
【００４３】
前記各係合片３５…３８は保持用パネル１７の所定部に切込線３９，４０，４１，４２を施して形成されている。他の構成は第１の実施形態と同様である。
【００４４】
第３の実施形態の植物の種子用包装体は上記のように構成し、袋２Ａの四辺を各係合片３５…３８に係入して種子入り袋２を保持用パネル１７に装着保持させる以外は第１の実施形態と同様に使用する。これにより第１の実施形態と同様の作用効果を奏する。
【００４５】
図１２ないし図１４は本発明の植物の種子用包装体のさらに他の最良の実施形態（第４の実施形態）を示すもので、図１２（ａ）は包装用台紙の斜視図、同図（ｂ）は保護用クッション材の一例を示す斜視図、同図（ｃ）は種子入り袋の斜視図、図１３は図１２の包装用台紙に種子入り袋を添装して保持させた状態を示す内側面方向から見た説明図（ａ）、及び外側面方向から見た説明図（ｂ）、図１４は図１３のＢ−Ｂ線で切断し、作用を説明するために示す拡大断面図である。
【００４６】
第４の実施形態の植物の種子用包装体において、第１の実施形態で既に説明した構成と共通する部材等には同一符号を付し、説明を省略する。第４の実施形態は保持用パネルに対する種子入り袋の添装部位の構成、及び保護用クッション材の構成に特徴がある。
【００４７】
第４の実施形態は、前記各実施形態の前記台紙１の保持用パネル１７に形成した開口部２８に代え、前記パネル１７の所定部に一対の折曲片５１，５２を設けてある。即ち、保持用パネル１７には、前記袋２の略中央部が当接する部位に位置させて、適当な距離を存して略平行に形成した適当長さの切込線５３，５４と、一方の切込線５３の両端部と他方の切込線５４の両端部との間に掛けて略平行に形成した折り線５５，５６と、切込線５３の略中央部と切込線５４の略中央部との間に掛けて形成した切込線５７とが施され、両折り線５５，５６に沿って折り曲げ可能に相対して形成した一対の折曲片５１，５２が設けてある。第４の実施形態では、前記スリット２０と２１、及び前記スリット２２と２３間の略中央に位置させて前記折曲片５１，５２を設けた例が開示されている。
【００４８】
第４の実施形態においては、両折曲片５１，５２の対向する先端間に適当な巾の切欠部５８が形成されている。この切欠部５８は所望に応じて形成する。また、第４の実施形態の両折曲片５１，５２は図において前記パネル１７の左右方向に折り曲げるように形成したものが開示されている。この場合、両折曲片５１，５２は図１６に示すように、保持用パネル１７の図において上下方向に折り曲げるように形成してもよい。
【００４９】
第４の実施形態の保護用クッション材３Ｂは適当巾の帯状に形成し、種子入り袋２に嵌合させる大きさのリング状体７で構成したものを採用している。そして、前記クッション材３Ｂを種子入り袋２に嵌合して装着し、その状態で前記袋２を保持用パネル１７に添装して保持させるように構成してある。他の構成は第１の実施形態と同様である。
【００５０】
第４の実施形態は上記のように構成し、前記クッション材３Ｂを袋２の略中央部に位置させて嵌合し、その状態で種子入り袋２の各コーナー２４…２７を保持用パネル１７の各スリット２０…２３に差し込む。これにより袋２は傾くことなくパネル１７に安定して整然と定着して保持される。また、種子入り袋２の外側両面は前記クッション材３Ｂで挟まれているので、袋２Ａ内の種子５はクッション材３Ｂにより保護されて包装され、取扱中等に種子が傷付くのを防止する。なお、種子入り袋２の各コーナーを各スリットに係入した後、両折曲片５１，５２の裏面側に、図１３（ｂ）及び図１４に示すように、粘着テープ等５９を粘着しても良い。これにより、種子入り袋２のパネル１７に対する定着安定性が一層良好になる。また、前記折曲片５１，５２を設けたことにより、前記袋２の添装部等における保持用パネル１７と裏面パネル１５との間に間隙部（空気の隙間）が形成されるので、この間隙部が種子５の保護作用を助長する。
【００５１】
なお、前記したように種子入り袋２をパネル１７に添着した後、台紙１を二つ折りし、これを外袋４に収容して蓋片４ｂを折り返して閉じ、粘着テープ等（図示せず）で蓋片４ｂを止着して包装することについても第１の実施形態と同様である。
【００５２】
また、第４の実施形態において、保護用クッション材は図１２（ｂ）に示すようなリング状体７に構成することなく、図１５に示すように、保護用クッション材３Ｃを適当な巾及び長さの帯状体８で構成してもよい。この例においては、図１５（ｂ）に示すように、帯状体８を種子入り袋２の外側面の略中央部に巻回し、粘着テープ等６０で止着してクッション材３Ｃを袋２に装着し、この状態で前記と同様に袋２を保持用パネル１７に添装する。この構成によっても前記と同様の作用効果を奏する。
【００５３】
図１７ないし図２０は本発明の植物の種子用包装体のさらに他の最良の実施形態（第５の実施形態）を示すもので、図１７は包装用台紙の斜視図、図１８は保持用パネルの部分を断面で示す説明図、図１９は包装用台紙に種子入り袋を添装して保持させた状態を示す説明図、図２０は図１９のＣ−Ｃ線で切断し、作用を説明するために示す説明図である。
【００５４】
第５の実施形態の植物の種子用包装体において、第１の実施形態及び第４の実施形態で既に説明した構成と共通する部材等には同一符号を付し、説明を省略する。第５の実施形態は第４の実施形態の折曲片に改良を加えた構成に特徴がある。
【００５５】
即ち、第５の実施形態は第４の実施形態において、包装用台紙１の保持用パネル１７に、前記両折り線５５，５６の内側の部位に位置させて前記一方の切込線５３と他方の切込線５４との間に掛けると共に前記折り線５５，５６と適当な間隔を存して略平行に形成した折り線６１，６２を設けてある。
【００５６】
第５の実施形態の前記折り線６１，６２はミシン目状の折り線で形成されている。そして、両折曲片５１，５２を折り線５５，５６に沿わせ、外側方向に向けて略直角に折り曲げると共に両折曲片５１，５２を折り線６１，６２に沿わせて内側方向へ向けて略直角に折り曲げて使用できるように構成してある。
【００５７】
また、第５の実施形態においては、切込線５７を施した箇所に、第４の実施形態で開示した切欠部５８は設けられていない。なお、第５の実施形態においても、両折曲片５１，５２は図２１に示すように、保持用パネル１７の図において上下方向に折り曲げるように形成することもできる。他の構成は第１の実施形態と同様である。なお、保護用クッション材は第４の実施形態のリング状体７で構成した前記クッション材３Ｂ又は前記帯状体８で構成した前記クッション材３Ｃ（図示ではクッション３Ｂ）を採用する。
【００５８】
第５の実施形態の植物の種子用包装体は上記のように構成し、第４の実施形態と同様に使用する。これにより第４の実施形態と同様の作用効果を奏する。なお、両折曲片５１，５２の裏面側に粘着テープ等５９を粘着（図２０参照）できることについても第４の実施形態と同様である。
【００５９】
図２２は本発明の植物の種子用包装体のさらに他の最良の実施形態（第６の実施形態）を示す包装用台紙の展開平面図、図２３は図２２の包装用台紙に種子入り袋を添装する状態を示す説明図である。この植物の種子用包装体において、第１の実施形態で既に説明した構成と共通する部材等には同一符号を付し、説明を省略する。第６の実施形態は包装用台紙の構成に特徴がある。
【００６０】
即ち、第６の実施形態の包装用台紙１Ａは材紙１１Ａに折り線１２Ａ，１３Ａを介して略同一大に形成された表面パネル１４と、裏面パネル１５、及び種子入り袋２を添装して保持させる保持用パネル１７とを有している。前記台紙１Ａは保持用パネル１７を表面及び裏面パネル１４，１５間に位置させるように、材紙１１Ａを両折り線１２Ａ，１３Ａに沿って折り畳んで形成される。他の構成は第１の実施形態と同様である。なお、保護用クッション材は前記クッション材３又は３Ａ（図示でクッション材３）を採用する。
【００６１】
第６の実施形態の植物の種子用包装体は上記のように構成され、第１の実施形態と同様に使用する。これにより第１の実施形態と同様の作用効果を奏する。
なお、第６の実施形態においては、材紙１１Ａの中央に裏面パネル１５を、また、その両側に表面パネル１４と保持用パネル１７を形成した例を開示したが、例えば、保持用パネル１７を台紙１Ａの表面パネル１４又は裏面パネル１５の位置に配置する等、前記各パネル１４，１５及び１７の配置構成は任意に変更できるものである。
【００６２】
図２４は本発明の植物の種子用包装体のさらに他の最良の実施形態（第７の実施形態）を示す包装用台紙の展開平面図である。この植物の種子用包装体において、第１及び第４の実施形態で既に説明した構成と共通する部材等には同一符号を付し、説明を省略する。第７の実施形態も第６の実施形態と同様に包装用台紙の構成に特徴がある。
【００６３】
即ち、第７の実施形態の包装用台紙１Ａは第６の実施形態の包装用台紙１Ａと同様に構成されているため、同一構成部分には同一符号を付し、説明を省略する。また、他の構成は第４の実施形態と同様である。なお、両折曲片５１，５２の折り曲げ方向に関する変形例についても第４の実施形態と同様に変更できるものである。また、保護用クッション材は前記クッション材３Ｂ又は３Ｃを採用する。
【００６４】
第７の実施形態の植物の種子用包装体は上記のように構成され、第４の実施形態と同様に使用する。これにより第４の実施形態と同様の作用効果を奏する。
なお、第７の実施形態においては、材紙１１Ａの中央に裏面パネル１５を、またその両側に表面パネルと保持用パネル１７を形成した例を開示したが、例えば、保持用パネル１７を台紙１Ａの表面パネル１４又は裏面パネル１５の位置に配置する等、前記各パネル１４，１５及び１７の配置構成は任意に変更可能なものである。このパネルの配置構成については後述の図２５に示す第８の実施形態においても同様である。
【００６５】
図２５は本発明の植物の種子用包装体のさらに他の最良の実施形態（第８の実施形態）を示す包装用台紙の展開平面図である。この植物の種子用包装体において、第１及び第５の実施形態で既に説明した構成と共通する部材等には同一符号を付し、説明を省略する。第８の実施形態も第６の実施形態と同様に包装用台紙の構成に特徴がある。
【００６６】
即ち、第８の実施形態の包装用台紙１Ａは第６の実施形態の包装用台紙１Ａと同様に構成されているため、同一構成部分には同一符号を付し、説明を省略する。また、他の構成は第５の実施形態と同様である。両折曲片５１，５２の折り曲げ方向に関する変形例についても第５の実施形態と同様に変更できるものである。なお、保護用クッション材は前記クッション材３Ｂ又は３Ｃを採用する。
【００６７】
第８の実施形態の植物の種子用包装体は上記のように構成され、第５の実施形態と同様に使用する。これにより第５の実施形態と同様の作用効果を奏する。
【００６８】
図２６及び図２７は本発明の植物の種子用包装体のさらに他の最良の実施形態（第９の実施形態）を示すもので、図２６は包装用台紙の斜視図、図２７は図２６の前記台紙に種子入り袋を添装して保持させた状態を示す内側面方向から見た説明図（ａ）、及び外側面方向から見た説明図（ｂ）である。
【００６９】
第９の実施形態の植物の種子用包装体において、第１の実施形態及び第４の実施形態で既に説明した構成と共通する部材等には同一符号を付し、説明を省略する。第９の実施形態は種子入り袋２の保持用パネル１７に対する装着手段の構成に特徴がある。
【００７０】
第９の実施形態の係入部は前記袋のコーナーを係入する係合孔で構成されている。即ち、第９の実施形態は第４の実施形態において、前記台紙の保持用パネル１７に設けた前記スリット２０…２３に代え、種子入り袋２のコーナー係入用の係合孔２１Ａ，２３Ａを設けてある。前記両係合孔２１Ａ，２３Ａは前記パネル１７に添装される種子入り袋２の四隅部に相当する箇所における前記袋２の一方の対角線上の部位に位置させて相対設され、前記両孔２１Ａ，２３Ａに前記袋２（２Ａ）のコーナー２４…２７のうち、二つのコーナー（図示ではコーナー２５及び２７）を係合して種子入り袋２を保持用パネル１７に添装して保持させるように構成してある。この構成により、袋２の前記両コーナー２５及び２７を両係合孔２１Ａ，２３Ａへ係入すると、袋２は保持用パネル１７に傾くことなく安定して整然と定着して保持される。
【００７１】
他の構成は第４の実施形態と同様である。なお、第９の実施形態においても、両折曲片５１，５２は図１６に示す方向（同図の上下方向）へ折り曲げるように形成することができる。この点については後述する実施形態においても同様である。また、保護クッション材は前記クッション材３Ｂ又は３Ｃ（図示ではクッション材３Ｂ）を採用する。
【００７２】
第９の実施形態は上記のように構成され、前記袋の前記コーナーを両係合孔２１Ａ，２３Ａに係入して種子入り袋２を前記パネル１７に添装させる以外は第４の実施形態と同様に使用される。これにより第４の実施形態と同様の作用効果を奏する。さらに加え、前記袋２のコーナーを前記スリットに係入する作業に比べ、コーナーを係合孔２１Ａ，２３Ａに係入する作業の方が容易に行なえるので、種子入り袋２の前記パネル１７への添装作業が一層簡単になる。
【００７３】
なお、第９の実施形態においては、前記両孔２１Ａ，２３Ａを前記パネル１７の図において斜左方向に対設した例を開示したが、両孔２１Ａ，２３Ａは図示の例と直交する方向（図において斜右方向）に相対して設けてもよい。また、前記係合孔をパネル１７の三箇所又は四箇所に設ける構成を採用することもできる。要は、前記パネル１７に添装される種子入り袋２の四隅部に相当する箇所における少なくとも前記袋２の一方の対向線上の部位に位置させて設ければよいものである。上記した係合孔の配置構成の変形例については後述する各実施形態においても同様である。
【００７４】
図２８は本発明の植物の種子用包装体のさらに他の最良の実施形態（第１０の実施形態）の包装用台紙を示す斜視図である。第１０の実施形態において、第１，第４，第５及び第９の実施形態等で既に説明した構成と共通する部材等には同一符号を付し、説明を省略する。
【００７５】
第１０の実施形態は第９の実施形態において、前記両折曲片５１，５２を第５の実施形態（図１７ないし図２０参照）と同様に構成したものである。他の構成は第９の実施形態と同様である。また、保護用クッション材は前記クッション材３Ｂ又は３Ｃを採用する。
【００７６】
第１０の実施形態の植物の種子用包装体は上記のように構成し、第９の実施形態と同様（両折曲片５１，５２については第５の実施形態と同様）に使用する。これにより、第９の実施形態と同様の作用効果を奏する。
【００７７】
図２９及び図３０は本発明の植物の種子用包装体のさらに他の最良の実施形態（第１１の実施形態）を示すもので、図２９は包装用台紙の斜視図、図３０は図２９の包装用台紙の保持用パネルの使用状態を示す裏面側方向から見た説明図である。第１１の実施形態の種子用包装体において、上述した実施形態で既に説明した構成と共通する部材等には同一符号を付し、説明を省略する。第１１の実施形態は保持用パネル１７に形成した折曲片の構成に特徴がある。
【００７８】
即ち、第１１の実施形態は、保持用パネル１７に相対して形成した一対の折曲片５１，５２の外側部に位置させて相対向して形成した一対の折曲片７１，７２を備えている。第１１の実施形態の前記一方の折曲片７１は、前記一方及び他方の切込線５３及び５４の両端との間に掛けて形成した両折り線５５，５６の一端部に延長して相対して形成した適当長さの切込線７３，７４と、これら両切込線７３，７４の外端部間に掛けて形成した折り線７５とを施して、前記折り線７５に沿って折曲片５１，５２の折り曲げ方向と直交する方向へ折り曲げ可能に形成して設けてある。
また、前記他方の折曲片７２は、前記折り線５５，５６の他端部に延長して形成した適当長さの切込線７６，７７と、両切込線７６，７７の外端部間に掛けて形成した折り線７８に沿って折曲片７１と対称的に折り曲げ可能に形成して設けてある。
【００７９】
前記構成により両折曲片７１，７２は、前記両折曲片５１，５２の折り曲げ方向と直交する方向へ折り曲げ可能に形成されている。他の構成は第１０の実施形態と同様である。また、保護用クッション材は前記クッション材３Ｂ又は３Ｃを採用する。
【００８０】
第１１の実施形態の植物の種子用包装体は上記のように構成し、第１０の実施形態と同様に使用する。これにより第１０の実施形態と同様の作用効果を奏する。なお、保持用パネル１７に種子入り袋２を添装することにより、前記両折曲片７１，７２は前記パネル１７の裏面側方向へ傾斜するように折り曲げられる（図３０参照）。
【００８１】
図３１ないし図３３は本発明の植物の種子用包装体のさらに他の最良の実施形態（第１２の実施形態）を示すもので、図３１は包装用台紙の斜視図、図３２は前記台紙に種子入り袋を添装して保持させた状態を示す説明図、図３３は前記台紙を折り畳み、裏面パネルの係合片を係合孔に係合した状態を示す説明図である。第１２の実施形態の植物の種子用包装体において、上述した実施形態で既に説明した構成と共通する部材等には同一符号を付し、説明を省略する。第１２の実施形態は包装用台紙の構成に特徴がある。
【００８２】
第１２の実施形態の包装用台紙１Ｂは、材紙１１Ｂに折り線１２Ｂ，１３Ｂを介して形成された表面パネル１４Ａと、種子入り袋２を添装して保持させる保持用パネル１５Ａ、及び裏面パネル１７Ａとを有している。前記表面パネル１４Ａと保持用パネル１５Ａは略同一大に形成されている。また、裏面パネル１７Ａは保持用パネル１５Ａに形成された係合孔２１Ａ，２３Ａ及び両折曲片５１，５２の部位全体を被覆可能な大きさに形成されている。
【００８３】
前記台紙１Ｂは、裏面パネル１７Ａを折り線１３Ｂに沿って所定の方向へ折り畳んだ状態で裏面パネル１７Ａの端部を保持用パネル１５Ａの所定部に係脱自在に係合して係止する係止手段８１を備えている。この実施形態の係止手段８１は裏面パネル１７Ａの先端中央部に突設した係合片８１ａと、この係合片８１ａと対応させて保持用パネル１５Ａに形成され、係合片８１ａを係脱自在に係合する係合孔８１ｂとで構成されている。
【００８４】
他の構成は第９の実施形態と同様である。なお、前記係合孔８１ｂに代え、係合片８１ａを係入するスリットを保持用パネル１５Ａに設ける構成等を採用することもできる。この点に関しては後述する実施形態においても同様である。また、保護用クッション材は前記クッション材３Ｂ又は３Ｃ（図示ではクッション材３Ｂ）を採用する。
【００８５】
第１２の実施形態は上記のように構成し、図３２に示すように、種子入り袋２のコーナー（図示ではコーナー２４及び２６）を係合孔２１Ａ，２３Ａに係入して前記袋２を保持用パネル１５Ａに添装する。そして図３３に示すように、表面パネル１４Ａを保持用パネル１５Ａの一方の面（前記袋２を添装した側の面と反対側の面）側に折り畳むと共に裏面パネル１７Ａを保持用パネル１５Ａの他方の面側へ折り畳んで前記係合片８１ａを係合孔８１ｂヘ係入し、この状態で第１の実施形態と同様に包装用外袋４に収容して包装する。これにより、袋２Ａ内の種子５はクッション材で保護されて包装されるので、取扱中等に種子が傷付くのを防止できる。
また、第４の実施形態と同様に保持用パネル１５Ａと裏面パネル１７Ａとの間に空気の隙間が形成されるので、種子の保護作用を助長する。さらに加え、材料費を節減し、生産性も向上させることができる。
【００８６】
図３４は本発明の植物の種子用包装体のさらに他の最良の実施形態（第１３の実施形態）を示す説明図である。第１３の実施形態の植物の種子用包装体において、上述した実施形態で既に説明した構成と共通する部材等には同一符号を付し、説明を省略する。第１３の実施形態も第１２の実施形態と同様に包装用台紙の構成に特徴がある。
【００８７】
即ち、第１３の実施形態の包装用台紙１Ｂは第１２の実施形態の包装用台紙１Ｂと同様に構成されているため、同一構成部分に同一符号を付し、説明を省略する。また、他の構成は第１０の実施形態と同様である。なお、保護用クッション材は前記クッション材３Ｂ又は３Ｃを採用する。
【００８８】
第１３の実施形態の植物の種子用包装体は上記のように構成され、第１２の実施形態と同様に使用する。これにより第１２の実施形態と同様の作用効果を奏する。
【００８９】
図３５は本発明の植物の種子用包装体のさらに他の最良の実施形態（第１４の実施形態）を示す説明図である。第１４の実施形態の植物の種子用包装体において、上述した実施形態で既に説明した構成と共通する部材等には同一符号を付し、説明を省略する。第１４の実施形態も第１２の実施形態と同様に包装用台紙の構成に特徴がある。
【００９０】
即ち、第１４の実施形態の包装用台紙１Ｂは第１２の実施形態の包装用台紙と同様に形成されているため、同一構成部分に同一符号を付し、説明を省略する。また、他の構成は第１１の実施形態と同様である。なお、クッション材は前記クッション材３Ｂ又は３Ｃを採用する。
【００９１】
第１４の実施形態の植物の種子用包装体は上記のように構成され、第１２の実施形態と同様に使用する。これにより第１２の実施形態と同様の作用効果を奏する。
【００９２】
なお、第１２ないし第１４の実施形態においては、表面パネル１４Ａを保持用パネル１５Ａの前記袋２の添装側の面に折り畳むと共に裏面パネル１７Ａを前記パネル１５Ａの他方の面側へ折り畳む例を開示したが、両パネル１４Ａ及び１７Ａを保持用パネル１５Ａに対し、前記と逆方向に折り畳むように構成できること勿論である。
【００９３】
図３６及び図３７は本発明の植物の種子用包装体のさらに他の最良の実施形態（第１５の実施形態）を示すもので、図３６（ａ）は包装用台紙を展開した状態の一方の面側方向から見た説明図、同図（ｂ）は他方の面側方向から見た説明図、図３７は包装用台紙に種子入り袋を添装した状態を示す説明図（ａ）、及び台紙を折り畳み、裏面パネルの係合片を係合した状態を示す説明図（ｂ）である。第１５の実施形態において、上述した実施形態で既に説明した構成と共通する部材等については同一符号を付し、説明を省略する。第１５の実施形態は第１２の実施形態において、包装用台紙に形成された各パネルの配置構成に特徴がある。
【００９４】
第１５の実施形態の包装用台紙１Ｂは第１２の実施形態（図３１ないし図３３参照）の前記台紙１Ｂの保持用パネル１５Ａの位置に表面パネル１４Ａを配置すると共に第１２の実施形態の前記台紙１Ｂの表面パネル１４Ａの位置に保持用パネル１５Ａを配置したものである。即ち、材紙１１Ｂの中央部に表面パネル１４Ａを形成し、このパネル１４Ａの一側に折り線１２Ｂを介して保持用パネル１５Ａを、また、前記パネル１４Ａの他側に折り線１３Ｂを介して裏面パネル１７Ａを形成してある。そして、保持用パネル１５Ａと裏面パネル１７Ａを表面パネル１４Ａに対して同じ面側へ折り畳むように構成してある。
【００９５】
他の構成は第１２の実施形態と同様である。また、保護用クッション材は前記クッション材３Ｂ又は３Ｃ（図示では３Ｂ）を採用する。
【００９６】
第１５の実施形態は上記のように構成し、図３７（ａ）に示すように、種入り袋２のコーナー（図示ではコーナー２４及び２６）を係合孔２１Ａ，２３Ａに係入して前記袋２を保持用パネル１５Ａに添装する。そして保持用パネル１５Ａを表面パネル１４Ａの所定の面側へ折り畳むと共に裏面パネル１７Ａを保持用パネル１５Ａ上に折り畳んで前記係合片８１ａを係合孔８１ｂヘ係入し、この状態で第１の実施形態と同様に包装用外袋４に収容して包装する。これにより、袋２Ａ内の種子５はクッション材で保護されて包装されるので、取扱中等に種子が傷付くのを防止する。
また、第１２の実施形態と同様に保持用パネル１５Ａと裏面パネル１７Ａ及び表面パネル１４Ａとの間に空気の隙間が形成されるので、種子の保護作用を助長する。さらにまた、材料費を節減し、生産性も向上させることができる。
【００９７】
なお、保持用パネル１５Ａを表面パネル１４Ａ側へ折り畳んだ後、前記袋２を前記パネル１５Ａへ添装してもよい。また、前記袋２が表面パネル１４Ａ側へ位置させるように、前記袋２を保持用パネル１５Ａへ添装することも自由に行なえる。
【００９８】
第１５の実施形態において、前記台紙１Ｂの保持用パネル１５Ａの構成は、第１３の実施形態、或いは第１４の実施形態の保持用パネル１５Ａの構成に変更できるものである。即ち、第１３の実施形態のように、折曲片５１，５２に折り線６１，６２等を施す構成、或いは第１４の実施形態のように、折曲片５１，５２の外側部に位置させて折曲片７１，７２等を設ける構成を採用できること勿論のことである。
【００９９】
図３８ないし図４０は本発明の植物の種子用包装体のさらに他の実施形態（第１６の実施形態）を示すもので、図３８は包装用台紙の斜視図、図３９は前記台紙に種子入り袋を添装して保持させた状態を示す説明図、図４０は前記台紙を折り畳んだ状態を示す説明図である。第１６の実施形態の植物の種子用包装体において、上述した実施形態で既に説明した構成と共通する部材等には同一符号を付し、説明を省略する。第１６の実施形態は包装用台紙の構成に特徴がある。
【０１００】
第１６の実施形態の包装用台紙１Ｂは第１２の実施形態（図３１ないし図３３参照）の包装用台紙１Ｂにおいて、台紙１Ｂの裏面パネル１７Ａに設けた係合片８１ａ及び保持用パネル１５Ａに設けた係合孔８１ｂを削除したものである。他の構成は第１２の実施形態と同様である。なお、保護用クッション材は前記クッション材３Ｂ又は３Ｃ（図示ではクッション材３Ｂ）を採用する。
【０１０１】
第１６の実施形態は上記のように構成し、図３９に示すように、種子入り袋２のコーナー（図示ではコーナー２４及び２６）を係合孔２１Ａ，２３Ａに係入して前記袋２を保護用パネルに添装する。そして、図４０に示すように、表面パネル１４Ａを保持用パネル１５Ａの一方の面（図示では前記袋２を添装した側の面と反対側の面）側に折り畳むと共に裏面パネル１７Ａを保持用パネル１５Ａの他方の両側へ折り畳む。そして、この状態で第１の実施形態と同様に包装用外袋４に収容して包装する。これにより第１２の実施形態と同様の作用効果を奏する。
【０１０２】
第１６の実施形態において、前記台紙１Ｂの保持用パネル１５Ａの構成は、第１３の実施形態、或いは第１４の実施形態の保持用パネル１５Ａの構成に変更できるものである。即ち、第１３の実施形態のように折曲片５１，５２に折り線６１，６２等を施す構成、或いは第１４の実施形態のように、折曲片５１，５２の外側部に位置させて折曲片７１，７２を設ける構成を採用できること勿論のことである。
【０１０３】
図４１及び図４２は本発明の植物の種子用包装体のさらに他の実施形態（第１７の実施形態）を示すもので、図４１（ａ）は包装用台紙を展開した状態の一方の面側方向から見た説明図、同図（ｂ）は他方の面側方向から見た説明図、図４１は包装用台紙に種子入り袋を添装した状態を示す説明図（ａ）、及び台紙を折り畳んだ状態を示す説明図である。第１７の実施形態の植物の種子用包装体において、上述した実施形態で既に説明した構成と共通する部材等には同一符号を付し、説明を省略する。第１７の実施形態は第１６の実施形態において、包装用台紙に形成された各パネルの配置構成に特徴がある。
【０１０４】
第１７の実施形態の包装用台紙１Ｂは第１６の実施形態の前記台紙１Ｂの保持用パネル１５Ａの位置に表面パネル１４Ａを配置すると共に第１６の実施形態の前記台紙１Ｂの表面パネル１４Ａの位置に保持用パネル１５Ａを配置したものである。即ち、材紙１１Ｂの中央部に表面パネル１４Ａを形成し、このパネル１４Ａの一側に折り線１２Ｂを介して保持用パネル１５Ａを、また、前記パネル１４Ａの他側に折り線１３Ｂを介して裏面パネル１７Ａを形成してある。そして、保持用パネル１５Ａと裏面パネル１７Ａを表面パネル１４Ａに対して同じ面側へ折り畳むように構成してある。
【０１０５】
他の構成は第１６の実施形態と同様である。また、保護用クッション材は前記クッション材３Ｂ又は３Ｃ（図示では３Ｂ）を採用する。
【０１０６】
第１７の実施形態は上記のように構成し、図４２（ａ）に示すように、種子入り袋２のコーナー（図示ではコーナー２４及び２６）を係合孔２１Ａ、２３Ａに係入して前記袋２を保持用パネル１５Ａに添装する。そして、図４２（ｂ）に示すように、保持用パネル１５Ａを表面パネル１４Ａの所定の面側に折り畳むと共に裏面パネル１７Ａを保持用パネル１５Ａ上に折り畳む。そして、この状態で第１の実施形態と同様に包装用外袋４に収容して包装する。これにより第１６の実施形態と同様の作用効果を奏する。
【０１０７】
第１７の実施形態において、前記台紙１Ｂの保持用パネル１５Ａの構成は、第１３の実施形態、或いは第１４の実施形態の保持用パネル１５Ａの構成に変更できるものである。即ち、第１３の実施形態のように、折曲片５１，５２に折り線６１，６２等を施す構成、或いは第１４の実施形態のように、折曲片５１，５２の外側部に位置させて折曲片７１，７２等を設ける構成を採用できること勿論のことである
【０１０８】
なお、上記した実施形態は一例として開示したもので、本発明はこれらの実施形態に限定されるものではなく、特許請求の範囲に記載の技術思想を越脱しない範囲内において任意に変更可能なものである。
【図面の簡単な説明】
【０１０９】
【図１】本発明の植物の種子用包装体の一実施形態を示すもので、同図（ａ）は包装用台紙の斜視図、同図（ｂ）は保護用クッション材の一例を示す斜視図、同図（ｃ）は種子入り袋の斜視図である。
【図２】包装用台紙の展開平面図である。
【図３】包装用台紙に種子入り袋を添装して保持させた状態を示す説明図である。
【図４】図３のＡ−Ａ線で切断し、作用を説明するために示す拡大断面図である。
【図５】台紙を折り畳んだ状態を示す斜視図である。
【図６】包装用外袋の一例を示す斜視図である。
【図７】保護用クッション材の他の例を示す断面図である。
【図８】図７のクッション材の平面図である。
【図９】本発明の植物の種子用包装体の他の実施形態を示す説明図である。
【図１０】図９の種子用包装体に用いられる保護用クッション材を示す斜視図である。
【図１１】本発明の植物の種子用包装体のさらに他の実施形態を示す図であって、同図（ａ）は包装用台紙の説明図、同図（ｂ）は同上台紙に種子入り袋を添装して保持させた状態を示す説明図である。
【図１２】本発明の植物の種子用包装体のさらに他の実施形態を示すもので、同図（ａ）は包装用台紙の斜視図、同図（ｂ）は保護用クッション材の一例を示す斜視図、同図（ｃ）は種子入り袋の斜視図である。
【図１３】図１２の包装用台紙に種子入り袋を添装して保持させた状態を示す図であって、同図（ａ）は内側面方向から見た説明図、同図（ｂ）は外側面方向から見た説明図である。
【図１４】図１３のＢ−Ｂ線で切断し、作用を説明するために示す拡大断面図である。
【図１５】保護用クッション材の他の例を示す平面図（ａ）及び同上クッション材を種子入り袋に巻装した状態を示す説明図（ｂ）である。
【図１６】本発明の植物の種子用包装体のさらに他の実施形態を示す包装用台紙の展開平面図である。
【図１７】本発明の植物の種子用包装体のさらに他の実施形態を示す斜視図である。
【図１８】図１７の種子用包装体の保持用パネルの部分を断面で示す説明図である。
【図１９】図１７の包装用台紙に種子入り袋を添装して保持させた状態を示す説明図である。
【図２０】図１９のＣ−Ｃ線で切断し、作用を説明するために示す拡大断面図である。
【図２１】本発明の植物の種子用包装体のさらに他の実施形態を示す包装用台紙の展開平面図である。
【図２２】本発明の植物の種子用包装体のさらに他の実施形態を示す包装用台紙の展開平面図である。
【図２３】図２２の包装用台紙に種子入り袋を添装する状態を示す説明図である。
【図２４】本発明の植物の種子用包装体のさらに他の実施形態を示す包装用台紙の展開平面図である。
【図２５】本発明の植物の種子用包装体のさらに他の実施形態を示す包装用台紙の展開平面図である。
【図２６】本発明の植物の種子用包装体のさらに他の実施形態を示す斜視図である。
【図２７】図２６の包装用台紙に種子入り袋を添装して保持させる状態を示す図であって、同図（ａ）は内側面方向から見た説明図、同図（ｂ）は外側面方向から見た説明図である。
【図２８】本発明の植物の種子用包装体のさらに他の実施形態を示す斜視図である。
【図２９】本発明の植物の種子用包装体のさらに他の実施形態を示す斜視図である。
【図３０】図２９の包装用台紙の保持用パネルの使用状態を示す裏面側方向から見た説明図である。
【図３１】本発明の植物の種子用包装体のさらに他の実施形態を示す斜視図である。
【図３２】図３１の包装用台紙に種子入り袋を添装して保持させる状態を示す図であって、同図（ａ）は内側面方向から見た説明図、同図（ｂ）は外側面方向から見た説明図である。
【図３３】図３１の包装用台紙を折り畳み、裏面パネルの係合片を係合孔に係合した状態を示す説明図である。
【図３４】本発明の植物の種子用包装体のさらに他の実施形態を示す斜視図である。
【図３５】本発明の植物の種子用包装体のさらに他の実施形態を示す斜視図である。
【図３６】本発明の植物の種子用包装体のさらに他の実施形態を示す図であって、同図（ａ）は包装用台紙を展開した状態の一方の面側から見た説明図、同図（ｂ）は他方の面側から見た説明図である。
【図３７】図３６の包装用台紙に種子入り袋を添装した状態を示す説明図（ａ）、及び包装用台紙を折り畳み、裏面パネルの係合片を係合孔に係合した状態を示す説明図（ｂ）である。
【図３８】本発明の植物の種子用包装体のさらに他の実施形態を示す斜視図である。
【図３９】図３８の包装用台紙に種子入り袋を添装して保持させる状態を示す図であって、同図（ａ）は内側面方向から見た説明図、同図（ｂ）は外側面方向から見た説明図である。
【図４０】図３８の包装用台紙を折り畳んだ状態を示す説明図である。
【図４１】本発明の植物の種子用包装体のさらに他の実施形態を示す図であって、同図（ａ）は包装用台紙を展開した状態の一方の面側方向から見た説明図、同図（ｂ）は他方の面側方向から見た説明図である。
【図４２】図４１の包装用台紙に種子入り袋を添装して保持させた状態の説明図（ａ）、及び前記台紙を折り畳んだ状態を示す説明図（ｂ）である。
【図４３】従来の植物の種子用包装体の一例を示す図であって、同図（ａ）は包装用台紙に種子入り袋を添装した状態を示す斜視図、同図（ｂ）は同上台紙を折り畳んだ状態を示す斜視図、同図（ｃ）は包装用外袋の斜視図である。
【図４４】図４３に示す従来の包装用台紙の展開平面図である。
【図４５】図４４に示す包装用台紙を二つに折り畳んだ状態を示す説明図である。
【符号の説明】
【０１１０】
１        包装用台紙
２        種子入り袋
３        保護用クッション材
４        包装用外袋
１１        材紙
１２，１３  折り線
１４        表面パネル
１５        裏面パネル
１７        保持用パネル
２０…２３  コーナー係入用のスリット
２８        開口部
【図１】
2005132488.tif 000003
【図２】
2005132488.tif 000004
【図３】
2005132488.tif 000005
【図４】
2005132488.tif 000006
【図５】
2005132488.tif 000007
【図６】
2005132488.tif 000008
【図７】
2005132488.tif 000009
【図８】
2005132488.tif 000010
【図９】
2005132488.tif 000011
【図１０】
2005132488.tif 000012
【図１１】
2005132488.tif 000013
【図１２】
2005132488.tif 000014
【図１３】
2005132488.tif 000015
【図１４】
2005132488.tif 000016
【図１５】
2005132488.tif 000017
【図１６】
2005132488.tif 000018
【図１７】
2005132488.tif 000019
【図１８】
2005132488.tif 000020
【図１９】
2005132488.tif 000021
【図２０】
2005132488.tif 000022
【図２１】
2005132488.tif 000023
【図２２】
2005132488.tif 000024
【図２３】
2005132488.tif 000025
【図２４】
2005132488.tif 000026
【図２５】
2005132488.tif 000027
【図２６】
2005132488.tif 000028
【図２７】
2005132488.tif 000029
【図２８】
2005132488.tif 000030
【図２９】
2005132488.tif 000031
【図３０】
2005132488.tif 000032
【図３１】
2005132488.tif 000033
【図３２】
2005132488.tif 000034
【図３３】
2005132488.tif 000035
【図３４】
2005132488.tif 000036
【図３５】
2005132488.tif 000037
【図３６】
2005132488.tif 000038
【図３７】
2005132488.tif 000039
【図３８】
2005132488.tif 000040
【図３９】
2005132488.tif 000041
【図４０】
2005132488.tif 000042
【図４１】
2005132488.tif 000043
【図４２】
2005132488.tif 000044
【図４３】
2005132488.tif 000045
【図４４】
2005132488.tif 000046
【図４５】
2005132488.tif 000047